(57)【特許請求の範囲】
【請求項１】
遊技球が流下可能な遊技領域が設けられた遊技盤と、前記遊技領域を流下する遊技球が流入可能な始動口と、センター役物と、を備え、
前記センター役物は、
前記遊技領域を流下する遊技球を受け入れる球入口と、
前記球入口に連通し所要の奥行きを有する遊技室と、
前記球入口に装着され該球入口を開閉する可動片と、
前記遊技室内に形成され該遊技室内に流入した遊技球を受け入れる特別入賞口及び普通入賞口とが設けられた入賞領域と、
前記遊技室内であって前記球入口から流入した遊技球を前記入賞領域に誘導可能な第１通路および第２通路と、
前記第１通路および第２通路にそれぞれ対応させて設けられ遊技球が通過可能な透孔が形成された第１回転型電動部材および第２回転型電動部材と、
前記第１回転型電動部材および第２回転型電動部材のそれぞれに対応する第１駆動モータおよび第２駆動モータとからなり、
所定の遊技状態のときに前記始動口への遊技球の流入を条件に、前記可動片を開放し、その開放により前記球入口から受け入れられた遊技球が前記特別入賞口に入賞した場合に前記可動片が開放するラウンドが所定回数継続される特別遊技状態となり、当該特別遊技状態の終了後に前記所定の遊技状態となるようにしたパチンコ遊技機において、
前記所定の遊技状態および前記特別遊技状態のときに前記第１回転型電動部材および第２回転型電動部材を駆動させる駆動制御手段と、
前記第１回転型電動部材および第２回転型電動部材の駆動を前記特別遊技状態の最終ラウンドの最後の可動片の開放が終了した後の所定のタイミングで停止するよう停止指令を出力する停止指令出力手段と、
前記停止指令出力手段によって出力された停止指令があった後、前記第１回転型電動部材および第２回転型電動部材の透孔がそれぞれ予め定められた位置に到達したことを検知する位置検知手段と、
前記位置検知手段によって検知された位置で前記第１回転型電動部材および第２回転型電動部材を一時停止するよう制御する停止制御手段と、
前記停止制御手段によって前記第１回転型電動部材および第２回転型電動部材が一時停止した後であって所定時間経過後に該第１回転型電動部材および第２回転型電動部材を同時に再駆動させるよう駆動指令を出力する駆動指令出力手段とを備え、
前記第１回転型電動部材および第２回転型電動部材の透孔の位置同士のずれを補正することができるようにしたことを特徴とするセンター役物を有するパチンコ遊技機。
【発明の詳細な説明】
【技術分野】
【０００１】
本発明は、遊技盤面の特定の入賞口に遊技球が入賞して特定の条件を満たしたときに、遊技者に有利な特別遊技状態を発生させるようにしたセンター役物を有するパチンコ遊技機に関するものである。
【背景技術】
【０００２】
従来、この種のセンター役物を有するパチンコ遊技機として、パチンコ遊技機の遊技盤の略中央部分に、所要の奥行きを有する遊技室を形成し、この遊技室の上方に遊技盤を流下する遊技球を受け入れる球入口を設けると共に、球入口を開閉する羽根と呼ばれる可動片を設け、遊技室の床面部分には特別入賞口と普通入賞口とを設けてなるセンター役物を備えたパチンコ遊技機が広く知られている。そして、この種のパチンコ遊技機は、可動片が開いた状態の球入口から入った遊技球を床面へと導き、そこで特別入賞口または普通入賞口に入賞させるようにしており、この時、特別入賞口に遊技球が入賞すると、遊技者が一度に多くの賞球が得られる特別遊技状態へと移行するようになっているのが一般的である。
【０００３】
さらに、このようなセンター役物を備えたパチンコ遊技機において、下記特許文献１に示すように、センター役物の球入口から遊技室内に流入した遊技球が特別入賞口又は普通入賞口に至るまでの間に、遊技球が通過可能な透孔を形成した複数の回転型電動部材を設け、該回転型電動部材を継続的に回転させるようにしたものが存在している。そして、このセンター役物にあっては、球入口から入った遊技球が回転型電動部材に当たることなく床面の入賞口へと流下する場合と、回転型電動部材に衝突して弾かれた後に床面の入賞口へと流下する場合と、回転型電動部材の透孔の中に流入した後に床面の入賞口へと流下する場合とがあって、それぞれの流下経路によって、特別入賞口へ入賞し易い場合とそうでない場合とがある。
【０００４】
【特許文献１】特開２００３−３１０９３５号公報（段落〔０００９〕〔００１０〕、図２、図４）
【発明の開示】
【発明が解決しようとする課題】
【０００５】
しかしながら、上述したセンター役物の回転型電動部材は、次のような問題点を有していた。すなわち、当該回転型電動部材は常時回転しているが、これを駆動させるモータの個体差によって回転速度に微妙なずれがあり、長時間稼働させると、このずれが積み重なって次第に複数の回転型電動部材相互の透孔の位置が合わなくなってくる場合がある。また、回転型電動部材には、球入口から流入した多数の遊技球が衝突することになるが、この衝突の衝撃で回転型電動部材が余分に回ってしまい、このような衝突が何度も繰り返されていると、やはり複数の回転型電動部材相互の透孔の位置が合わなくなってくる場合がある。
ここで、先にも述べたように、球入口から流入した遊技球が回転型電動部材に当たることなく床面の入賞口へと流下する場合と、回転型電動部材に衝突して弾かれた後に床面の入賞口へと流下する場合と、回転型電動部材の透孔の中に流入した後に床面の入賞口へと流下する場合とで遊技球が特別入賞口に入賞し易いか否か、換言すれば、特別入賞の確率に影響を与えてしまうことになる。従って、複数の回転型電動部材の透孔の位置にずれが生じてしまうと、特別入賞の確率が不安定になってしまうという問題があった。
【０００６】
そこで、本発明は上記課題に鑑みてなされたもので、複数の回転型電動部材の回転を所定のタイミングで且つ所定の位置で停止させた後、回転停止指令を出した時点から起算して所定時間経過した後に再び複数の回転型電動部材を同時に回転させるようにすることで、複数の回転型電動部材相互の透孔の位置が一致するようにし、遊技室内に流入した遊技球が特別入賞口に入賞する確率を安定させるようしたセンター役物を有するパチンコ遊技機を提供することを目的とするものである。
【課題を解決するための手段】
【０００７】
かかる目的を達成するため本発明に係るセンター役物を有するパチンコ遊技機は、遊技盤面を流下する遊技球を受け入れる球入口と、前記球入口に連通し所要の奥行きを有する遊技室と、前記球入口に装着され該球入口を開閉する可動片と、前記遊技室内に形成され該遊技室内に流入した遊技球を受け入れる特別入賞口及び普通入賞口と、前記遊技室内であって前記球入口から流入した遊技球が前記特別入賞口又は普通入賞口に至るまでの間に設けられていると共に流入した遊技球が通過可能な透孔が形成された複数の回転型電動部材と、前記複数の回転型電動部材を回転駆動する複数のモータとからなるセンター役物を有するパチンコ遊技機において、前記複数の回転型電動部材の回転を所定のタイミングで停止するよう停止指令を出力する停止指令出力手段と、前記停止指令出力手段によって出力された停止指令があったとき前記複数の回転型電動部材の透孔が互いに一致する位置を検知する位置検知手段と、前記位置検知手段によって検知された位置で前記複数の回転型電動部材を一時停止するよう制御する回転停止制御手段と、
前記複数の回転型電動部材が一時停止した後であって前記停止指令出力手段の停止指令があったときからカウントして所定時間経過後に該回転型電動部材を同時に再回転させるよう回転指令を出力する回転指令出力手段とを備えていることを特徴とする。
【０００８】
また、請求項２に係るセンター役物を有するパチンコ遊技機は、請求項１記載の位置検知停止手段を、複数の回転型電動部材の各々の回転軸に固定され且つスリットを有する回転板と、該回転板を挟むように設けられた投光器と受光器とからなることを特徴としている。
【０００９】
さらに、請求項３に係るセンター役物を有するパチンコ遊技機は、請求項２記載の回転板のスリットが回転型電動部材の透孔の位置と前後方向で一致していることを特徴としている。
【００１０】
なお、前記停止指令出力手段は、複数の回転型電動部材の回転を所定のタイミングで停止するよう指令を出力するが、ここにいう「所定のタイミング」とは、任意のタイミングを選択することが可能である。また、前記回転指令出力手段は、複数の回転型電動部材が一時停止した後であって停止指令出力手段の停止指令があったときからカウントして所定時間経過後に該回転型電動部材を同時に再回転させるよう指令を出力するが、ここにいう「所定時間経過後」とは、任意の時間を設定することが可能である。もっとも、以下に示すタイミング及び時間を選択するとより好ましい結果が得られる。
【００１１】
前記パチンコ遊技機は、始動入賞口に遊技球が入賞すると図柄変動が開始され該図柄が特定の図柄で停止した場合、又は前記特別入賞口に遊技球が入賞した場合に、前記可動片が１ラウンドにつき所定回数開閉を繰り返し該ラウンドが所定回数継続される特別遊技状態となるセンター役物を有するパチンコ遊技機であることを前提とし、前記停止指令出力手段による回転型電動部材の停止指令が出力される所定のタイミングは、前記停止した図柄が特定の図柄であることを判定したときであり、前記回転指令出力手段による回転指令の出力は、特別遊技状態の最初のラウンドにおける可動片が開閉動作を開始するまでの間であることが好ましい。
【００１２】
前記パチンコ遊技機は、始動入賞口に遊技球が入賞すると図柄変動が開始され該図柄が特定の図柄で停止した場合、又は前記特別入賞口に遊技球が入賞した場合に、前記可動片が１ラウンドにつき所定回数開閉を繰り返し該ラウンドが所定回数継続される特別遊技状態となるセンター役物を有するパチンコ遊技機であることを前提とし、前記停止指令出力手段による回転型電動部材の停止指令が出力される所定のタイミングは、遊技球が特別入賞口に入賞し特別遊戯状態へと移行することを判定したときであり、前記回転指令出力手段による回転指令の出力は、特別遊技状態の最初のラウンドにおける可動片が開閉動作を開始するまでの間であることが好ましい。
【００１３】
前記パチンコ遊技機は、始動入賞口に遊技球が入賞すると図柄変動が開始され該図柄が特定の図柄で停止した場合、又は前記特別入賞口に遊技球が入賞した場合に、前記可動片が１ラウンドにつき所定回数開閉を繰り返し該ラウンドが所定回数継続される特別遊技状態となるセンター役物を有するパチンコ遊技機であることを前提とし、前記停止指令出力手段による回転型電動部材の停止指令が出力される所定のタイミングは、特別遊技状態の最終ラウンドの最後の可動片の開閉が終了した後であり、前記回転指令出力手段による回転指令の出力は、特別遊技状態が終了した時点（いわゆる保留球が存在している時には、当該保留に伴って再び図柄変動を開始した時点）までの間に行うようにすることが好ましい。
【発明の効果】
【００１４】
本発明に係るセンター役物を有するパチンコ遊技機は、遊技室内で回転し続ける複数の回転型電動部材に対し所定のタイミングで回転停止を指令して、当該停止指令があったときに複数の回転型電動部材の透孔の位置が一致するように停止させると共に、停止指令があったときから所定時間経過後に再び複数の回転型電動部材が同時に回転するよう構成している。従って、複数の回転型電動部材相互の透孔の位置がモータの個体差や回転型電動部材に遊技球が衝突することによってずれが生じても、所定のタイミングでずれを補正することができるので、遊技球がセンター役物内の特別入賞口へ入賞する確率を安定させることが可能である。
【発明を実施するための最良の形態】
【００１５】
次に、本発明に係るパチンコ遊技機のセンター役物の実施の形態を図面に基づき説明する。図１は、本発明が適用されるパチンコ遊技機の遊技盤の正面図を示す。該遊技盤１は、打球発射装置（図示せず）から発射された遊技球を誘導するため前面に環状の外レール２と内レール３が設けられ、その内側の遊技領域の中央に本発明に係るセンター役物４が配設される。５ａ，５ｂは遊技球が流下する遊技盤１の左側領域上部と右側領域上部に夫々設けられた普通入賞口、６ａ，６ｂはその下方に夫々設けられた普通入賞口である。７ａ，７ｂは遊技盤１の左側領域下部と右側領域下部に夫々設けられた始動入賞口、８はセンター役物４の直下方に設けられ一対の翼片９，９が開閉動するように構成された所謂チューリップ型の電動開閉始動入賞口である。該電動開閉始動入賞口８は、その上方に遊技球が通過することにより電気的に検出される通過ゲート８ａが一体に設けられている。なお、１０は遊技領域の下端部に設けられたアウト球排出口、１１ａ，１１ｂは内レール３の内側縁に設けられたランプ付き装飾体である。
【００１６】
センター役物４は、図２、図３に拡大して示すように、遊技盤１面に取着される取付基板１２前面の中央上部に紋型装飾体１３が形成され、該紋型装飾体１３の両側に球入口１４ａ，１４ｂが形成される。該球入口１４ａ，１４ｂに、可動片としての可動羽根１５ａ，１５ｂが回動自在に軸支される。該可動羽根１５ａ，１５ｂは、図４（イ）（ロ）に示すように、支軸１６ａ，１６ｂの先端に固設され、該支軸１６ａ，１６ｂの後端部にクランク１７ａ，１７ｂが固設されている。１８ａ，１８ｂは該センター役物４の内部に鉛直に固設された電動アクチュエータ（ソレノイド）、１９ａ，１９ｂは該電動アクチュエータ１８ａ，１８ｂのプランジャに固着された作動片である。２０ａ，２０ｂは、その軸受部２１ａ，２１ｂを軸支することにより傾動自在に支持された傾動片である。該傾動片２０ａ，２０ｂに突設されたピン２２ａ，２２ｂを該作動片１９ａ，１９ｂに形成された横長孔２３ａ，２３ｂに遊嵌すると共に、クランク１７ａ，１７ｂの先端に突設されたピン２４ａ，２４ｂを該傾動片２０ａ，２０ｂに形成された長孔２５ａ，２５ｂに遊嵌する。
【００１７】
前記電動アクチュエータ１８ａ，１８ｂが励磁され作動片１９ａ，１９ｂが上動すると、傾動片２０ａ，２０ｂが上傾し、図４（ロ）に示すように支軸１６ａ，１６ｂを矢視方向へ回転させ、可動羽根１５ａ，１５ｂが図４（イ）の起立状から外傾状に変動する。これに伴い図２鎖線に示すように球入口１４ａ，１４ｂが開成され、遊技球が該球入口１４ａ，１４ｂからセンター役物４内に流入し得るようになる。２６は、センター役物４内であって球入口１４ａ，１４ｂの内側に山形に形成された球遊動通路である。２７ａ，２７ｂは該球入口１４ａ，１４ｂからセンター役物４内に流入した遊技球を検出するために該球遊動通路２６の両端部に設けられた球検出スイッチで、遊技球は該球検出スイッチ２７ａ，２７ｂの環状孔からその下段に形成された凹面状通路２８に落下する。
【００１８】
また、図２に示すように、凹面状通路２８の後側壁中央部に遊技球が３個横に並んで通過できる程度の幅を有する窓孔２９が形成され、該窓孔２９の後側に球停留装置３０が設けられる。図５（イ）（ロ）に示すように、該球停留装置３０は、上端部で軸着され前後に自在に揺動する振分部材３１と、センター役物４の内部中央に鉛直に固設された電動アクチュエータ（ソレノイド）３２と、該電動アクチュエータ３２のプランジャに固着され振分部材３１と連係する規制部材３３と、からなる。振分部材３１は、下端に後記する球落口３８の上面を開閉する蓋片３１ａが設けられ、軸支部から後方へ突出する腕片３４の先端にピン３４ａが設けられる。一方、規制部材３３は、その上端に前方へ突出する可動片３５が設けられ、該可動片３５先端の二股部３６に前記腕片３４のピン３４ａが係合している。また、規制部材３３の下端は、前方へ屈曲して球止片３７が設けられる。該球止片３７の前端部は、球落口３８の下方に位置する。そして、規制部材３３が上昇したとき、球止片３７が球落口３８の真下に位置してその下面を閉じ、該球止片３７に入った遊技球を下から支持するようにしている。また、この状態で、規制部材３３が下降すると、球落口３８の下面が開かれ前記遊技球は支持を失い落下することになる。
【００１９】
前記球停留装置３０における振分部材３１の下方には、該振分部材３１の揺動動作により遊技球を受け入れられるように開閉する球落口３８が設けられ、該球落口３８に球検出スイッチ３９（図５では省略。）の環状孔が合致している。球落口３８は、左右両サイドへ伸びるワープ通路４０ａ，４０ｂの分岐点に当たる底壁に開設される。これらワープ通路４０ａ，４０ｂは両側で下方へ屈曲し、その下端に後記する傾斜棚５２の両側上面に位置する球出口４１ａ，４１ｂが設けられる。これらワープ通路４０ａ，４０ｂにより囲まれる部位は、その後側に位置するディスプレイ４８を遊技者が前側から視認可能なように、遊技球の直径寸法よりも少し広い幅を離して平行な前後一対の透明樹脂板が張設された透光領域４２としている。
【００２０】
前記透光領域４２の透明樹脂板間に、球落口３８の下方に位置して該球落口３８から落下する遊技球を下方へ導く中央縦通路４３が形成される。該中央縦通路４３には、その途中に通路の内側へ突出し落下する遊技球を一時的に受け止める第一球受片４４ａとその下方に位置する第二球受片４４ｂとが設けられる。これら第一・第二球受片４４ａ，４４ｂは、互いに位置を違えて設けられかつそれら上面が中央縦通路４３の中央寄りへ下傾し、その上面に遊技球が乗っても停止できずに落下するようになっている。さらに、第二球受片４４ｂの下方に上面が弧状に窪み、遊技球を排出する下端放出口４３ａが球転動通路４５の長手方向に沿っていずれか側方、この場合は図２において右側を向いた第三球受片４４ｃが設けられる。
【００２１】
そして、両透明樹脂板間の下部に、中央縦通路４３の下端から落下する遊技球を受け入れる球転動通路４５が設けられる。該球転動通路４５は、底壁上面が前記中央縦通路４３の真下位置である中央部で一番低くなっており、その両側で中央部に向かって緩やかに下傾している。また、中央縦通路４３の中央部の後側壁に、遊技球を傾斜棚５２の左右幅方向のほぼ中央部に落下させる球送り口４６が開設される。
【００２２】
前記球停留装置３０の電動アクチュエータ３２が消磁しているときは、図５（イ）に示すようにそのプランジャが下方へ突出して規制部材３３が下降位置に停止し、振分部材３１が前方へ揺動して突出し球落口３８の上面を塞いでいる。よって、この状態で凹面状通路２８から窓孔２９を介して導かれた遊技球は、振分部材３１により左右いずれかに振り分けられ、ワープ通路４０ａ，４０ｂ内を流れると共にその下端の球出口４１ａ，４１ｂから排出されて傾斜棚５２の上面に落下する。また、この状態では、該規制部材３３下端の球止片３７が中央縦通路４３の後側壁に開設された縦溝４７を介してその中央縦通路４３内に介入し、第一球受片４４ａの近傍に達しており、その第一球受片４４ａ上面に乗る遊技球を支えてそれより下方へ落下させないようにしている。
【００２３】
これに対し、電動アクチュエータ３２が励磁すると、図５（ロ）に示すようにそのプランジャが上方へ収縮して規制部材３３が上昇位置に停止し、同時に振分部材３１が後方へ揺動して球落口３８の上面を遊技球が入り得るように開放する。よって、この状態で凹面状通路２８から窓孔２９を介して後方へ導かれた遊技球は、球落口３８に入り易い。該球落口３８に入った遊技球は、その下面を規制部材３３下端の球止片３７により支持され、電動アクチュエータ３２が消磁して規制部材３３が下がらない限り中央縦通路４３に落下しないようになっている。また、その後に窓孔２９から入る遊技球は、球落口３８に保留される遊技球によって振り分けられ、ワープ通路４０ａ，４０ｂのいずれかに流入する。
【００２４】
この状態で、電動アクチュエータ３２が消磁すると、規制部材３３が下降し該規制部材３３によって球落口３８に保留されていた遊技球が第一球受片４４ａの上面に落下する。また、同時に振分部材３１が前方へ突出して球落口３８の上面を塞ぐ。このとき、前記遊技球は、規制部材３３に支持され第一球受片４４ａの上面に保持される。そして、電動アクチュエータ３２が再び励磁すると、規制部材３３が上昇すると共に振分部材３１が後退して球落口の上面３８を開放する。同時に、第一球受片４４ａの上面に乗っていた遊技球が規制部材３３から開放され、第二球受片４４ｂの上面に一時的に乗りつつさらにその下方の第三球受片４４ｃ上面に乗り、図６（イ）に示すようにその下端放出口４３ａから球転動通路４５の底壁上面に落下する。
【００２５】
第三球受片４４ｃの下端放出口４３ａは図２のように球転動通路４５を正面から見て右側を向いているので、そこから排出される遊技球は勢いがつき易い。そこで、該球転動通路４５の底壁上面が中央部に向かって緩やかに下傾していることから、前記遊技球は図６（イ）鎖線に示すようにその中央部を中心として左右両サイドへ減衰しながら往復運動する。そして、該遊技球は最終的に中央部に寄り、球送り口４６を介して傾斜棚５２上面の中央に落下する。球送り口４６の中央縦通路４３に沿った両側縁部は、その前面が図６（ロ）に示すように前方へ突出し、両突出部から始まる両側前面が、それぞれ球転動通路４５に沿って外側へ向かうに従い漸次後方へ傾くテーパー面４５ａに形成されている。
【００２６】
これにより、球転動通路４５を球送り口４６を中心として左右に往復運動する遊技球は、球送り口４６に近づくにつれテーパー面４５ａに接触して球送り口４６から離されるように誘導される。よって、例えば、該遊技球が球送り口４６の両内側縁に当たって停止し、そこで往復運動の止まってしまうことがなくなり、遊技者はその遊技球の動きを長く楽しむことができる。
【００２７】
センター役物４内の球転動通路４５の下方に、取付基板１２に開設された窓開口４９と連通するようにして前側から内部が視認できる遊技室５０が形成されている。図７に示すように該遊技室５０には、その後側正面壁５０ａの中央に装飾体としての人形５１が突出状に設けられる。また、遊技室５０内の中間高さ位置に、横断状に配置され後方へ向けて緩やかに下傾する傾斜棚５２が設けられる。該傾斜棚５２の後端縁は、遊技球が落下し得る間隔５３を離して人形５１と相対している。該遊技室５０の床面５４は緩やかな前傾状に形成され、その前端縁中央に特別入賞口５５が設けられ、該特別入賞口５５の両側にそれぞれやや広めの普通入賞口５６，５６が形成される。該特別入賞口５５には、球検出スイッチ５７が配設される。普通入賞口５６，５６にあっては、その下流側に図示しない球検出スイッチが配設される。
【００２８】
図８に示すように前記人形５１の腹部に、繰り返し前方に進出可能に設けられたポケット形の進退動型電動部材５８が装着される。該進退動型電動部材５８は、水平に配置されると共に前端に上面が開口したポケット部５８ａが設けられる。後側正面壁５０ａの後側に、進退動型電動部材５８に連結され該進退動型電動部材５８を動作させるための電動アクチュエータ（ソレノイド）５９が水平に配置される。また、人形５１の後側に相当する後側正面壁５０ａの裏側に遊技球が通過し得る通路６０が形成され、該通路６０は人形５１の股下部に開設された放出口６１に連通している。６２は床面５４の下側に配置され、電動アクチュエータ（ソレノイド）６３の作動により枢支部６４を支点として鉛直面内で上下に傾動するように支持された停留レバーである。そして、その上・下方向への傾動により該停留レバー６２の先端６２ａが放出口６１と相対するように床面５４より出没し、放出口６１から放出する遊技球を該停留レバー６２により一時停留するようになっている。また、放出口６１の両側であって後側正面壁５０ａに、前記通路６０と連通するサブ放出口６５が開設される。
【００２９】
図２、図７、及び図９に示すように、人形５１の両側で傾斜棚５２の両サイド奥部にそれぞれ半球殻状の回転型電動部材６６が設けられる。該回転型電動部材６６はその球面が前方を向き回転軸６７により支持され、該回転軸６７の後端に減速機付モータ６８が連繋される。回転型電動部材６６には、その前面に等間隔に遊技球が通過できる透孔６９が各々３つずつ形成されている。また、２つの回転型電動部材６６の各々の回転軸６７にはスリット８２を有する回転円板８１と、該回転円板８１を挟むように設けられた投光器８３と受光器８４とからなる検出器（位置検知手段）９０が設けられている。すなわち、２つの回転型電動部材６６の各々の回転軸６７には、該回転軸６７に対して直角となるように回転円板８１が固着され、該回転円板８１の外周縁部に回転軸６７を中心とする放射線状に且つ等間隔に３つずつのスリット８２が設けられていると共に、回転円板８１の一側に、該回転円板８１の外周縁部を前側と後側から挟むようにして投光器８３と受光器８４とを備えた検出器（位置検知手段）９０が配設されている。また、前記回転円板８１の３つのスリット８２はいずれも、回転型電動部材６６の透孔６９のちょうど裏側に位置するようになっている。具体的には、スリット８２が回転型電動部材６６の透孔６９の縁部と前後方向で一致するようになっている。
【００３０】
なお、上記実施例では、回転型電動部材を２つ設けているが、複数の回転型電動部材であれば、特に２つに限定されるものではない。また、回転型電動部材に３つの透孔が設けられている例を示して説明したが、当該透孔の数は特に限定されるものではない。また、回転円板に３つのスリットが設けられている例を示して説明しているが、当該スリットの数も特に限定されるものではない。
【００３１】
前記左右の２つの回転型電動部材６６は、減速機付モータ６８の駆動によりそれぞれ内向きに回転する。すなわち、センター役物４を正面から見て右側に位置する回転型電動部材６６は、反時計回り方向へ回転し、左側に位置する回転型電動部材６６は、時計回り方向へ回転する。また、回転型電動部材６６は、基本的に常時継続回転しており、この時、左右２つの回転型電動部材６６の透孔６９は、相互に同じ位置で回転するようになっている。このように、２つの回転型電動部材６６の透孔６９の位置が一致するように回転させるのは、センター役物４内に入った遊技球の特別入賞口５５へ入賞する入賞確率にばらつきがないようにしてその均一化を図るためである。もっとも、減速機付モータ６８の個体差によって２つの回転型電動部材６６の回転速度に若干のずれがある場合、あるいは、回転型電動部材６６に遊技球が衝突した際の衝撃で回転型電動部材６６が余分に回ってしまう場合があり、このような場合、回転型電動部材６６を長時間稼働していると、左右の回転型電動部材６６の透孔６９の位置が合致しなくなってくる場合がある。そこで、所定のタイミングで左右の回転型電動部材６６の透孔６９の位置のずれを修正するようにしている。ここで「所定のタイミング」とは、この実施例では、変動図柄が確定し、あるいは遊技球がセンター役物４内の特別入賞口５５へ入賞し、遊技者に有利な特別遊技状態となったときの最初と最後に行うことにしている。具体的には、変動図柄が特定の図柄、例えば「７７７」に確定したときの特別遊技状態の最終当たり判定があった時点、特別入賞口５５に遊技球が入賞し当該遊技球が球検出スイッチ５７を通過した時点、あるいは特別遊技状態の複数回のラウンドが終了した時点で、パチンコ遊技機内のＣＰＵから回転型電動部材６６の回転を停止するよう停止指令が出力され、この停止指令があってから投光器８３の光が受光器８４によって最初に検知されたスリット８２の位置で回転型電動部材６６を一旦停止させるようになっている。この時、回転型電動部材６６の３つの透孔６９は、等間隔で設けられており、且つ回転円板８１の３つのスリット８２は、いずれも回転型電動部材６６の透孔６９と前後方向で一致するようになっているので、３つのスリット８２のうち、どのスリット８２で停止させても、左右の２つの回転型電動部材６６の透孔６９の位置は相互に一致することになる。そして、回転停止指令を出力した時点、すなわち、変動図柄が確定し特別遊技状態の最終当たり判定があったとき、遊技球が特別入賞口５５の球検出スイッチ５７を通過したとき、あるいは特別遊技状態の複数回のラウンドが終了したとき（特別遊技状態中に可動する可動羽根が停止した時）から起算して所定の時間が経過した後に、左右２つの回転型電動部材６６を再び同時に回転させるようにしている。このように、特別遊技状態の最終当たり判定があったとき、遊技球が球検出スイッチ５７を通過したとき、あるいは特別遊技状態の複数回のラウンドが終了したときに左右の回転型電動部材６６の回転に対し停止指令を出力し、（停止指令出力手段）、該停止指令を受けて検出器９０が最初のスリット８２を検知して（位置検知手段）、その位置で回転型電動部材６６の回転を一時停止するよう制御しているため（回転停止制御手段）、この段階で２つの回転型電動部材６６の透孔６９の位置が一致する。さらに回転の停止指令を出した時点を起算点として所定時間経過後に再び回転型電動部材６６を同時に再回転させるように回転指令を出力するようになっている（回転指令出力手段）ので、２つの回転型電動部材６６の透孔６９の位置にずれが生じていても、ここで当該ずれが補正されて再び２つの回転型電動部材６６の透孔６９の位置が一致した状態で回転型電動部材６６は回転することになる。
【００３２】
さらに、前記遊技室５０の後側正面壁５０ａに、人形５１の両側に位置して押出し部材７１が配置される。これら押出し部材７１は共に同じ構成からなるので、図１０（イ）（ロ）に図２のようなセンター役物４を正面から見て左側に位置するもののみを示す。押出し部材７１は、両端部に支持孔７２を貫設した摺動枠７３の前面に支軸７４を突設し、該支軸７４の先端、すなわち前端、に人の手に模した当て片７５を固着して構成される。一方、遊技室５０の後側正面壁５０ａに支持枠７６が固着される。該支持枠７６には、後側正面壁５０ａの前後方向へ水平に貫設された軸孔７７が設けられる。また、支持枠７６の両側後面に、軸孔７７の中心軸と平行をなしかつ圧縮スプリング７８を巻装した支杆７９が後方へ突設される。そして、前記軸孔７７に支軸７４を挿通し、両支持孔７２に両支杆７９を挿通する。また、摺動枠７３の後側に、該摺動枠７３を圧縮スプリング７８の付勢に抗して前方へ押動する電動アクチュエータ（ソレノイド）８０が水平に配設されている。
【００３３】
ここで、電動アクチュエータ８０が消磁しているときは、図１０（イ）に示すように圧縮スプリング７８の付勢により摺動枠７３が後退し、支軸７４前端の当て片７５が後側正面壁５０ａの前面に寄っている。これに対し、電動アクチュエータ８０が励磁すると、図１０（ロ）に示すようにプランジャが前進して圧縮スプリング７８の付勢に抗して摺動枠７３を前方へ押す。これにより、当て片７５が前方へ突出して、傾斜棚５２の後端縁に接近する。その後端縁と当て片７４との隙間は、遊技球が通過し得ない寸法になっており、傾斜棚５２の上面を後方へ転動して突出動作する当て片７５に当る遊技球は、傾斜棚５２の上面を前側へ押し返されることになる。前記両当て片７５の前面は、真正面を向くというよりも少し中央の人形５１側を向くように設定されている。よって、該当て片７５に押し返された遊技球は、パチンコ遊技機の前面を覆う透明板保持枠（図示せず。）のガラス板（センター役物４の窓開口４９に該窓開口４９を塞ぐ前面透明壁がある場合は、該前面透明壁）に当たってポケット部８５ａに向かって流下し易いようになる。
【００３４】
本発明に係るパチンコ遊技機では、図１２に示すように前記ディスプレイ４８、電動アクチュエータ１８ａ，１８ｂ，３２，５９，６３，８０、減速機付モータ６８、及び検出器９０が、ＣＰＵ，ＲＯＭ，ＲＡＭ，Ｉ／Ｏ等からなるマイクロコンピュータ８４に接続され、該マイクロコンピュータ８４の指令により作動する。また、該マイクロコンピュータ８４には、前記始動入賞口７ａ，７ｂ、電動開閉始動入賞口８に入賞した遊技球を検出する球検出スイッチ８５ａ，８５ｂ，８６がそれぞれ接続されているほか、前記球検出スイッチ２７ａ，２７ｂ、球検出スイッチ３９、球検出スイッチ５７がそれぞれ接続されている。
【００３５】
本発明に係るパチンコ遊技機のセンター役物４は上記構成からなり、例えば、遊技盤１面に打ち込まれた遊技球が始動入賞口７ａ，７ｂや電動開閉始動入賞口８に入賞すると、球検出スイッチ８５ａ，８５ｂ，８６により電気的に検出されてディスプレイ４８に表示される数字、文字、図形といった図柄が変動を開始する。遊技者は、その図柄を透光領域４２を介して見ることができる。電動開閉始動入賞口８にあっては、その上部の通過ゲート８ａを遊技球が通過すると抽選が行なわれ、その抽選に当たると電動開閉始動入賞口８が１回開閉する。
【００３６】
そして、前記変動した図柄は、特定の図柄（例えば、「１１１」、「２２２」、「７７７」）で停止する。そこで、特定の図柄が「１１１」で停止した場合は、可動羽根１５ａ，１５ｂが１回開閉動作を行なう。また、特定の図柄が「２２２」で停止した場合は、可動羽根１５ａ，１５ｂが２回開閉動作を行なう。一方、特定の図柄が「７７７」に揃った場合は、遊技者に有利な特別遊技状態となり、可動羽根１５ａ，１５ｂが１ラウンドにつき所定回数開閉を繰り返し、その後にそのラウンドが所定回数継続され、一度に多くの賞球が得られる。ラウンド終了後は、元の状態に戻る。
【００３７】
前記可動羽根１５ａ，１５ｂが１回または２回開いたときに、球入口１４ａ，１４ｂに遊技球が入賞すると、該遊技球は球検出スイッチ２７ａ，２７ｂを通過して検出される。これにより、可動羽根１５ａ，１５ｂを作動させる電動アクチュエータ１８ａ，１８ｂを除いて、他の電動アクチュエータ３２，５９，６３，８０が駆動し、振分部材３１と規制部材３３、進退動型電動部材５８、停留レバー６２、押出し部材７１が設定された時間に従って適宜回数作動する。また、押出し部材７１は、センター役物４に遊技球が入賞してから排出されるまでの間に、左右同時に複数回前方へ突出動作を繰り返す。
【００３８】
前記球入口１４ａ，１４ｂの球検出スイッチ２７ａ，２７ｂを通過して検出された遊技球は、凹面状通路２８内に入る。次に、この遊技球は、窓孔２９から後方へ流下するが、電動アクチュエータ３２が消磁して振分部材３１により球落口３８の上面が塞がれているとき、蓋片３１ａにより振り分けられていずれかのワープ通路４０ａ，４０ｂに流入し、その流下端の球出口４１ａ，４１ｂから傾斜棚５２上面に落下する。一方、電動アクチュエータ３２が励磁して振分部材３１を後方へ揺動して球落口３８の上面が開放されたとき、窓孔２９から入った遊技球がタイミング良く球落口３８に入ると、該遊技球は、電動アクチュエータ３２が励磁している間、一時的に保留される。よって、後続の遊技球は必然的に球落口３８には入賞せず、いずれかのワープ通路４０ａ，４０ｂに流入する。
【００３９】
そして、前記電動アクチュエータ３２が消磁すると、規制部材３３が下降し前記球落口３８に保留されていた遊技球は支持を失って中央縦通路４３に落下し、規制部材３３に支持された状態で第一球受片４４ａ上面に保持される。、電動アクチュエータ３２が励磁すると、規制部材３３が上昇し第一球受片４４ａ上面の遊技球が支持を失って落下し、第二・第三球受片４４ｂ，４４ｃを経て球転動通路４５上面に落下する。該球転動通路４５上面では、遊技球がその球転動通路４５に沿って中央部を中心として左右に減衰しながら往復動する。最終的に減衰した遊技球は、球送り口４６から傾斜棚５２上面に落下する。
【００４０】
傾斜棚５２上面を後方へ転動する遊技球は、間隔５３から人形５１の前に落下したり、該傾斜棚５２上面で左右の回転型電動部材６６に接触して弾かれたり、或は回転型電動部材６６の透孔６９内に入りそのままいずれかの透孔６９から曲面棚７０に落下して、床面５４上に放出される。そして、該遊技球は、前方へ転動して普通入賞口５６または特別入賞口５５に入賞する。もっとも、遊技球が回転型電動部材６６の透孔６９内に流入し、透孔６９から曲面棚７０に落下した場合、その大多数は普通入賞口５６に入賞し、特別入賞口５５にはきわめて稀にしか入賞しない。他方、遊技球が間隔５３から落下するとき、図８の鎖線に示すように電動アクチュエータ５９が励磁して進退動型電動部材５８が進出して開いたポケット部５８ａに入ると、該遊技球は通路６０を流下して人形５１の股下部の放出口６１に導かれる。このとき、同図鎖線に示すように電動アクチュエータ６３が励磁して停留レバー６２の上端が床面５４から上方へ突出しているときは、放出口６１にある遊技球はそのまま保持される。その後、電動アクチュエータ６３が消磁して停留レバー６２の上端が床面５４から下方に位置すると、前記遊技球はまっすぐ流下して特別入賞口５５に容易に入賞する。この場合も特別遊技状態となり、可動羽根１５ａ，１５ｂが１ラウンドにつき所定回数開閉を繰り返し、その後にそのラウンドが所定回数継続され、一度に多くの賞球が得られることになる。ラウンド終了後は、元の状態に戻る。なお、遊技球が間隔５３から落下する場合であって、上述した進退動電動部材５８のポケット部５８ａに入ることなく曲面棚７０に落下した場合、その大多数は普通入賞口５６に入賞し、特別入賞口５５にはきわめて稀にしか入賞しない。
【００４１】
さらに、回転型電動部材６６に接触して弾かれた遊技球は、傾斜棚５２の上面を後方へ転動することになるが、人形５１の位置する該傾斜棚５２の中央部に寄らない遊技球は、傾斜棚５２の後端縁から落下するとき押出し部材７１が前方へ突出すると、図１１の鎖線に示すように当て片７５に当てられ傾斜棚５２の上面を前側へ押し返される。このようにして、その遊技球は、当て片７５により押し返される限り、傾斜棚５２上面を前後に往復動して傾斜棚５２上面に留まる時間が長くなり、進退動型電動部材５８のポケット部５８ａに該遊技球が入る機会が多くなる。
【００４２】
上記のとおり、遊技球が回転型電動部材６６の透孔６９内に入ってから曲面棚７０に落下した場合は、そのほとんどが特別入賞口５５に入賞することはない。これに対し、遊技球が回転型電動部材６６に衝突することなく傾斜棚５２上面を転動する場合、あるいは遊技球が回転型電動部材６６に衝突して傾斜棚５２上面を転動する場合には、当該遊技球が進退動型電動部材５８のポケット部５８ａに入る可能性を有しているので、最終的に特別入賞口５５に容易に入賞する場合がある。従って、回転型電動部材６６の透孔６９内に入った場合と、入らずに傾斜棚５２上面を転動する場合とでは、特別入賞口５５への入賞確率に大きな違いが生じることになる。そのため、左右の回転型電動部材６６の透孔６９の位置が相互にずれを生じると、必然的に遊技球の特別入賞口５５への入賞確率がバラついて不安定になってしまうことになる。そこで、本発明では、左右の回転型電動部材６６の透孔６９の位置がずれた場合、所定のタイミングでずれを補正し、遊技球がセンター役物４内の特別入賞口５５へ入賞する確率を安定させるようにしている。
【００４３】
次に、本発明に係るセンター役物を有するパチンコ遊技機の回転型電動部材６６の作用について、さらに詳細に説明する。基本的に常時継続回転している回転型電動部材６６は、変動図柄が特定の図柄「７７７」に揃った場合、あるいは遊技球がセンター役物４内の特別入賞口５５へ入賞し、遊技者に有利な特別遊技状態となったときの最初と最後に一旦停止させると共に、一定時間経過後に再び回転させ、左右の回転型電動部材６６の透孔６９の位置のずれを補正するようにしている。そこで、まず、特定の図柄が「７７７」に揃って特別遊技状態へと移行した最初の時点を図１３のタイミングチャート図に基づいて説明する。図１３に示すように変動している図柄が停止し、当該停止した図柄が特別図柄である「７７７」に確定すると、その確定から０．５秒で最終当り判定がなされる。そして、この最終当たり判定と同時に、パチンコ遊技機内のＣＰＵから左右の回転型電動部材６６に対し（正確には回転型電動部材の駆動源であるモータＭに対し）回転を停止するように停止指令が出力される（停止指令出力手段）。この停止指令があると、検出器（位置検知手段）９０に対し回転円板８１のスリット８２の位置を検出するよう指令が出され、この指令に基づいて投光器８３の光が受光器８４によって最初に検知されたスリット８２の位置で左右２つの回転型電動部材６６を一時停止させる（回転停止制御手段）。ここで、図１３に示す例では、左右の回転型電動部材６６相互の透孔６９の位置にずれがあったため、右側に位置する回転型電動部材６６の回転円板８１のスリット８２の方が早めに検知されて回転型電動部材６６が停止し、左側に位置する回転型電動部材６６の方が遅めに停止している。このとき、２つの回転型電動部材６６の３つの透孔６９は、等間隔で設けられており、且つ回転円板８１の３つのスリット８２は、いずれも回転型電動部材６６の透孔６９と前後方向で一致するようになっているので、左右の２つの回転型電動部材６６の透孔６９の位置は必ず相互に一致した状態で停止することになる。そして、最終当り判定があったとき、すなわち、左右の回転型電動部材６６に対し回転停止指令が出力されたとき（正確には、回転型電動部材６６の駆動源であるモータＭに対し回転停止指令が出力されたとき）を起算点として、ここから１７秒後である特別遊技状態の最初のラウンドにおける開閉羽根１５ａ，１５ｂが開閉動作を開始する直前に左右の回転型電動部材６６を同時に回転させるように指令を出す（回転指令出力手段）。ここで、図１３に示した例では、左右の回転型電動部材６６の透孔６９の位置にずれが生じていて、回転型電動部材６６を停止させた時点が右と左とで一致していないが、左右の回転型電動部材６６を再び回転させる起算点を回転停止させるよりも前の最終当り判定の時点としていることから、２つの回転型電動部材６６は、必ず同時に回転を始めることになる。従って、再び回転する左右の回転型電動部材６６は、透孔６９の位置が互いに一致した状態で回転を始めることになり、ずれが生じた透孔６９の位置は完全に補正されることになる。なお、この実施例では、前述のとおり、回転型電動部材６６の回転停止指令を停止図柄が特別図柄である「７７７」に確定したときから始め、再び回転型電動部材６６を回転させる回転指令を特別遊技状態の最初のラウンドにおける開閉羽根１５ａ，１５ｂが開閉動作を開始するまでの間に行うようにしているが、このようなタイミングでこれら一連の処理を行うこととしたのは、この間は、開閉羽根１５ａ，１５ｂが開閉することがあり得ないので、遊技室５０内に遊技球が流入することがないという理由による。すなわち、遊技室５０内に遊技球が流入すると、該遊技球が回転型電動部材６６に衝突してしまう可能性があるが、仮に複数の回転型電動部材６６の透孔６９の位置ずれ補正を行っているときに、回転型電動部材６６に遊技球が衝突してしまうと、回転型電動部材６６が余分に回転してしまい、透孔６９のずれを補正するという本来の目的を達成できなくなるおそれがあることを考慮したものである。
【００４４】
遊技球がセンター役物４内の特別入賞口５５へ入賞し、遊技者に有利な特別遊技状態となったときは、遊技球が特別入賞口５５の球検出スイッチ５７を通過した時点から、０．５秒で最終当り判定がなされる。そして、この最終当たり判定と同時に、パチンコ遊技機内のＣＰＵから左右の回転型電動部材６６に対し（正確には回転型電動部材の駆動源であるモータＭに対し）回転を停止するように停止指令が出力され、その後は、前述した特定図柄の確定による特別遊技状態のときと同様の手順で左右の回転型電動部材６６の透孔６９の位置ずれ補正がなされる。
【００４５】
さらに、特別遊技状態の最後の時点で回転型電動部材６６を停止させる場合を図１４に基づいて説明する。特別遊技状態へと移行すると、可動羽根１５ａ，１５ｂが所定回数開閉を繰り返すラウンドが所定回数継続されるが、その最終ラウンドの最後の可動羽根１５ａ，１５ｂの開閉が終了したときから４秒経過した時点で、まず、左右の回転型電動部材６６（正確にはその駆動源であるモータＭ）に対し回転を停止するように停止指令が出力される（停止指令出力手段）。この停止指令があると、検出器（位置検知手段）９０に対し回転円板８１のスリット８２の位置を検出するよう指令が出され、この指令に基づいて投光器８３の光が受光器８４によって最初に検知されたスリット８２の位置で左右２つの回転型電動部材６６を一時停止させる（回転停止制御手段）。そして、左右の回転型電動部材６６に対し回転停止指示を出したとき（正確には、回転型電動部材６６の駆動源であるモータＭに対し回転停止指示を出したとき）を起算点として、ここから１７秒後である特別遊技状態が終了した時点（いわゆる保留球が存在している時には、当該保留に伴って再び図柄変動を開始した時点）に左右の回転型電動部材６６を同時に回転させるように指令を出し（回転指令出力手段）、左右の回転型電動部材６６が再び回転を始める。このとき、左右の回転型電動部材６６は、透孔６９の位置が互いに一致した状態で回転を始めることになり、ずれが生じた透孔６９の位置は完全に補正されることになる。なお、この実施例では、前述のとおり、回転型電動部材６６の回転停止指令を特別遊技状態の最終ラウンドの最後の可動羽根１５ａ，１５ｂの開閉が終了した後に始め、再び回転型電動部材６６を回転させる回転指令を特別遊技状態が終了した時点（いわゆる保留球が存在している時には、当該保留に伴って再び図柄変動を開始した時点）までの間に行うようにしているが、このようなタイミングでこれら一連の処理を行うこととしたのは、この間は、開閉羽根１５ａ，１５ｂが開閉することがあり得ないので、遊技室５０内に遊技球が流入することがないという理由による。
【００４６】
このように本発明は、遊技室内で回転し続ける複数の回転型電動部材を所定のタイミングで停止指示し、当該停止指示があったときに複数の回転型電動部材の透孔の位置が一致するように停止させると共に、停止指示があったときから所定時間経過後に再び複数の回転型電動部材が同時に回転するよう構成している。従って、複数の回転型電動部材相互の透孔の位置がモータの個体差や回転型電動部材に衝突した遊技球の衝撃によってずれが生じても、所定のタイミングでずれを補正することができるので、遊技球がセンター役物内の特別入賞口へ入賞する確率を安定させることが可能である。
【図面の簡単な説明】
【００４７】
【図１】本発明が適用されるパチンコ遊技機の遊技盤の正面図。
【図２】本発明に係るセンター役物の正面図。
【図３】同側面図。
【図４】（イ）は一対の可動羽根の斜視図、（ロ）は同作用図。
【図５】（イ）は球停留装置部位の斜視図、（ロ）は同作用図。
【図６】（イ）は球転動通路部位の斜視図、（ロ）同平面断面図。
【図７】遊技室部位を一部断面にして示す斜視図。
【図８】遊技室の側面断面図。
【図９】回転型電動部材の斜視図。
【図１０】（イ）は押出し部材の斜視図、（ロ）は同作用図。
【図１１】同押出し部材の作用を示す側面断面図。
【図１２】本発明が適用されるパチンコ遊技機のブロック図。
【図１３】本発明が適用されるパチンコ遊技機のタイミングチャート図。
【図１４】本発明が適用されるパチンコ遊技機のタイミングチャート図。
【符号の説明】
【００４８】
１        遊技盤
４        センター役物
１４ａ    球入口
１４ｂ    球入口
１５ａ    可動片（可動羽根）
１５ｂ    可動片（可動羽根）
５０      遊技室
５５      特別入賞口
５６      普通入賞口
６６      回転型電動部材
６７      回転軸
６８      減速機付モータ
６９      透孔
８１      回転円板
８２      スリット
８３      検出器
【図１】
0005134921.tif 000002
【図２】
0005134921.tif 000003
【図３】
0005134921.tif 000004
【図４】
0005134921.tif 000005
【図５】
0005134921.tif 000006
【図６】
0005134921.tif 000007
【図７】
0005134921.tif 000008
【図８】
0005134921.tif 000009
【図９】
0005134921.tif 000010
【図１０】
0005134921.tif 000011
【図１１】
0005134921.tif 000012
【図１２】
0005134921.tif 000013
【図１３】
0005134921.tif 000014
【図１４】
0005134921.tif 000015